(57)【要約】【課題】網へ固着した被調理物を容易に取り出すことができる電気加熱調理器を提供する。【解決手段】前面に開口５１ａを有する調理室５１を形成する内筐体５０と、開口５１ａを開閉すると共に調理室５１内を前後に摺動する扉５２と、調理室５１内の上下に配した上、下ヒーター５３、５４と、扉５２に載置される共に上、下ヒーター５３、５４間に配される網Ａ５５と、網Ａ５５に載置されると共に側部に段部５６ｃを有する網Ｂ５６と、内筐体５０に固着された軸５７からなり、扉５２の開閉時に段部５６ｃが軸５７を乗り上げて、網Ｂ５６が網Ａ５５から浮きあがるようにしたもので、調理後、扉５２を引き出すときに、網Ｂ５６が軸５７で持ち上げられるので、被調理物５８が網Ａ５５より浮いて網Ａ５５より外れるので、被調理物５８の取り出しが容易になり、使用勝手の良い電気加熱調理器を提供することができる。【選択図】図１
2009250594.tif 000002
【特許請求の範囲】
【請求項１】
前面に開口を有する調理室を形成する内筐体と、前記開口を開閉すると共に前記調理室内を前後に摺動する扉と、前記調理室内の上下に配した上、下ヒーターと、前記扉に載置される共に前記上、下ヒーター間に配される網Ａと、前記網Ａに載置されると共に側部に段部を有する網Ｂと、前記内筐体に固着された軸からなり、前記扉の開閉時に前記段部が前記軸を乗り上げて、前記網Ｂが前記網Ａから浮きあがるようにした電気加熱調理器。
【発明の詳細な説明】
【技術分野】
【０００１】
本発明は、一般家庭で使用されるフィッシュロースター等の電気加熱調理器に関するものである。
【背景技術】
【０００２】
従来、この種の電気加熱調理器は、魚などの被調理物を焼き網に直接載置して加熱し、調理後に、その被調理物を焼き網から取り外すのが一般的な構成である（例えば、特許文献１参照）。
【０００３】
図６は、前記特許文献１に記載された従来の電気加熱調理器の構成を示す断面図である。同図６において、加熱室１０内に焼き網１３を配すると共に、焼き網１３上に被調理物１２を載置して、上方に配された放射熱源１１及び、下方に配された下部熱源１５で加熱する。調理後は、被調理物１２を焼き網１３から取り外す構成としている。
【特許文献１】特開平４−３９５２３号公報（第３頁、第１図）
【発明の開示】
【発明が解決しようとする課題】
【０００４】
しかしながら、前記従来の電気加熱調理器の構成では、被調理物１２を直接焼き網１３に載置して加熱するので被調理物１２が焼き網１３に固着し、調理後に取り外すのが困難であるという課題を有していた。
【０００５】
本発明は、前記従来の課題を解決するもので、加熱調理された被調理物を網から取り出し易くして、使用性に優れた電気加熱調理器を提供することを目的とするものである。
【課題を解決するための手段】
【０００６】
前記従来の課題を解決するために、本発明の電気加熱調理器は、前面に開口を有する調理室を形成する内筐体と、前記開口を開閉すると共に前記調理室内を前後に摺動する扉と、前記調理室内の上下に配した上、下ヒーターと、前記扉に載置される共に前記上、下ヒーター間に配される網Ａと、前記網Ａに載置されると共に側部に段部を有する網Ｂと、前記内筐体に固着された軸からなり、前記扉の開閉時に前記段部が前記軸を乗り上げて、前記網Ｂが前記網Ａから浮きあがるようにしたもので、調理後、扉を引き出すときに、網Ｂが軸で持ち上げられるので、被調理物が網Ａより浮いて網Ａより外れるので、被調理物の取り出しが容易になり、使用勝手の良い電気加熱調理器を提供することができる。
【発明の効果】
【０００７】
本発明の電気加熱調理器は、網Ａに載置した網Ｂが、扉の開放中に軸により網Ａから浮き上がり被調理物を網Ａから引き離すようになっているので、調理後の被調理物の網Ａに対する固着が無くなり、非調理物の取り出しが容易になる。
【発明を実施するための最良の形態】
【０００８】
第１の発明は、前面に開口を有する調理室を形成する内筐体と、前記開口を開閉すると共に前記調理室内を前後に摺動する扉と、前記調理室内の上下に配した上、下ヒーターと、前記扉に載置される共に前記上、下ヒーター間に配される網Ａと、前記網Ａに載置されると共に側部に段部を有する網Ｂと、前記内筐体に固着された軸からなり、前記扉の開閉時に前記段部が前記軸を乗り上げて、前記網Ｂが前記網Ａから浮きあがるようにしたもので、調理後、扉を引き出すときに、網Ｂが軸で持ち上げられるので、被調理物が網Ａより浮いて網Ａより外れるので、被調理物の取り出しが容易になり、使用勝手の良い電気加熱
調理器を提供することができる。
【０００９】
以下、本発明の実施の形態について、図面を参照しながら説明する。なお、この実施の形態によって本発明が限定されるものではない。
【００１０】
（実施の形態１）
図１は、本発明の第１の実施の形態における電気加熱調理器の扉閉止状態の横断面図、図２は、同電気加熱調理器の扉閉止状態の縦断面図、図３は、同電気加熱調理器の網Ａ、Ｂの外観斜視図、図４は、同電気加熱調理器の網Ａ、Ｂの動作状態を示す横断面図、図５は、同電気加熱調理器の外観斜視図である。
【００１１】
図１〜５において、５０は、前面に開口５１ａを有する調理室５１を形成する内筐体である。扉５２は、該調理室５１内を前後に摺動し、調理室５１の開口５１ａを開閉している。調理室５１内の上部に上ヒーター５３を、下部に下ヒーター５４をそれぞれ配している。
【００１２】
上・下ヒーター５３、５４間には、網Ａ５５を配し、扉５２に載置している。５６は網Ｂで、網Ａ５５に載置している。網Ａ５５は、枠体５５ａと、前後方向に前記枠体５５ａに溶接されたワイヤー５５ｂから構成され、網Ａ５５の後部には、上方に折り曲げて形成された立ち上がり部５５ｃが設けられている。
【００１３】
また、網Ｂ５６は、枠体５６ａと、前後方向に前記枠体５６ａに溶接されたワイヤー５６ｂから構成され、網Ｂ５６の側部には、下方に突出する段部５６ｃが形成され、網Ｂ５６を網Ａ５５に載置したときに、網Ｂ５６のワイヤー５６ｂが、網Ａ５５のワイヤー５５ａより下方に位置するようにそれぞれ構成されている。
【００１４】
内筐体５０の側壁５０ａには、内方に向かって突出する軸５７が固着され、扉５２の開閉時に、網Ｂ５６の段部５６ｃが、軸５７を乗り上げるように構成されている。
【００１５】
以上のように構成された本実施の形態における電気加熱調理器について、以下その動作、作用を説明する。
【００１６】
まず、網Ａ５５に網Ｂ５６を載置してセットし、その上に被調理物５８を載置する。この時点では、被調理物５８は、網Ａ５５のワイヤー５５ｂの上に載置されている。次に、網Ｂ５６を載せた網Ａ５５を扉５２に載置して、調理室５１に挿入する。調理後、扉５２を引き出すとき、網Ｂ５６の段部５６ａは、軸５７に乗り上げて網Ａ５５より浮き上がる。このとき、網Ａ５５のワイヤー５５ｂより下方にあった網Ｂ５６のワイヤー５６ｂが、持ち上がって、網Ａ５５のワイヤー５５ｂに載置された被調理物５８を、ワイヤー５５ｂから浮かせる。
【００１７】
以上のように、本実施の形態によれば、扉５２の開放動作時、被調理物５８を網Ａ５５から浮かせるので、加熱中に被調理物５８が網Ａ５５に固着しても、扉５２の解放後は被調理物５８は網Ａ５５から一旦浮かせられているので、被調理物５８の取り出しが非常に容易になり、使用性の高い電気加熱調理器とすることができる。
【産業上の利用可能性】
【００１８】
以上のように、本発明にかかる電気加熱調理器は、網Ａに載置した網Ｂを、扉の開閉時に軸により網Ａから浮かせるようにしているので、加熱後の被調理物の網Ａに対するこびりつきの無い使用性の高い構成が可能となるもので、フィッシュロースターやオーブン等の各種電気加熱調理器に適用できる。
【図面の簡単な説明】
【００１９】
【図１】本発明の第１の実施の形態における電気加熱調理器の扉閉止状態の横断面図
【図２】同電気加熱調理器の扉閉止状態の縦断面図
【図３】同電気加熱調理器の網Ａ、Ｂの外観斜視図
【図４】同電気加熱調理器の網Ａ、Ｂの動作状態を示す横断面図
【図５】同電気加熱調理器の外観斜視図
【図６】従来の電気加熱調理器の横断面図
【符号の説明】
【００２０】
５０  内筐体
５１  調理室
５１ａ  開口
５２  扉
５３  上ヒーター
５４  下ヒーター
５５  網Ａ
５６  網Ｂ
５６ｃ  段部
５７  軸
【図１】
2009250594.tif 000003
【図２】
2009250594.tif 000004
【図３】
2009250594.tif 000005
【図４】
2009250594.tif 000006
【図５】
2009250594.tif 000007
【図６】
2009250594.tif 000008